(57)【要約】【課題】簡単に設置及び撤去することが可能な、発電所等の屋外開閉所で使用する作業区画表示ポールを提供することを課題とする。【解決手段】第１のストッパー４と第２のストッパー５を離間して備えた杭２と、底面に設けた孔７に杭３を挿入し、且つ、第１のストッパー４と第２のストッパー５間で移動可能に配置された管状ポール２から構成する。杭３先端を地面に差し込み、管状ポール２１の底面を第１のストッパー４に打ちつけて衝撃を与えて設置する。撤去する際は管状ポール２を上方に引き上げることにより、管状ポール２底面が第２のストッパー５を引っ張り撤去できる。【選択図】図１
2010159537.tif 000002
【特許請求の範囲】
【請求項１】
第１のストッパーと第２のストッパーを離間して備えた杭と、
底面に設けた孔に前記杭を挿入し、且つ、前記第１のストッパーと第２のストッパー間で移動可能に配置された管状ポールとからなることを特徴とする作業区画表示ポール。
【請求項２】
前記第１のストッパーが前記管状ポールの外部にあり、前記管状ポールの底面で前記第１のストッパーに衝撃を与えて地面に打ち込むことを特徴とする請求項１に記載の作業区画表示ポール。
【請求項３】
前記管状ポールにフックを設けたことを特徴とする請求項１に記載の作業区画表示ポール。
【請求項４】
前記管状ポール、及び、前記杭が耐腐食性金属からなることを特徴とする請求項１に記載の作業区画表示ポール。
【発明の詳細な説明】
【技術分野】
【０００１】
本発明は、発電所等の屋外開閉所にて使用される作業区画表示ポールに関する。
【背景技術】
【０００２】
高電圧の電気を扱う発電所や変電所では、補修作業等をする際、作業区画内に高圧電流が流れることがないよう、作業区画内の通電を停止して補修作業等を行っている。そして、作業者が誤って高圧電流が流れる作業区画外に出たりすることがないように、作業区画をロープや網等で囲い、注意を喚起している。
【０００３】
発電所等の屋外開閉所では、土の上にバラスを撒いてあり、簡易にポールやフェンス等を設置しにくい状況にある。このため、従来では主に屋外開閉所内の機器や鉄構等の柱にロープやネットを巻いて作業区画の表示を行ってきた。
【０００４】
また、埋設ポールを使用し、ポールにネット等を張って作業区画を表示するものが開示されている（特許文献１）。特許文献１の埋め込みポールでは、伸縮式のポールをコンクリートブロック内に配置し、このコンクリートブロックを作業区画に合わせて地中に埋設している。作業区画を表示する際は、地中からポールを引き伸ばし、このポールを支持柱としてネット等を張り、作業区画を表示している。
【先行技術文献】
【特許文献】
【０００５】
【特許文献１】特開平１１−３２４４０８号公報
【発明の概要】
【発明が解決しようとする課題】
【０００６】
屋外開閉所の機器等にロープを巻いて作業区画を表示する場合、実際に必要な範囲を囲えるように機器等が設置されているわけではない。このため、必要な区画以上に広く囲むことになり、運転中の機器の巡視点検等に支障をきたすことがあった。
【０００７】
特許文献１の埋設ポールでは、事前にコンクリートブロックを埋設しなければならず、設置に手間が掛かるという問題がある。また、一端埋設した場所から、他の場所に移動させることができず、機動的に作業区画を設定することが困難という課題を有する。更に、ポール以外にもコンクリート等の資材を必要とし、コストが高いという課題を有する。
【課題を解決するための手段】
【０００８】
本発明は第１のストッパーと第２のストッパーを離間して備えた杭と、底面に設けた孔に前記杭を挿入し、且つ、前記第１のストッパーと第２のストッパー間で移動可能に配置された管状ポールとからなることを特徴とする。
【０００９】
また、本発明は前記第１のストッパーが前記管状ポールの外部にあり、前記管状ポールの底面で前記第１のストッパーに衝撃を与えて地面に打ち込むことを特徴とする。
【００１０】
更に、前記管状ポールにフックを設けたことを特徴とする。
【００１１】
更に、前記管状ポール、及び、前記杭が耐腐食性金属からなることを特徴とする。
【発明の効果】
【００１２】
本発明によると、管状ポールを打込治具として使用できるため、簡単に素手で作業区画表示ポールの設置を可能としている。
【００１３】
また、管状ポールの底面がストッパーに引っかかるため、簡単に撤去することが可能である。
【００１４】
更に、上述の理由から簡単に設置、撤去ができるため、任意の作業区画を機動的に設定することができる利点を有する。
【００１５】
更に、ストッパーにより一定の深度まで打ち込めるため、常に一定の高さで設定できる。
【００１６】
更に、コンクリート等、他の資材を必要としないため、構造が簡単で安価に提供できる。
【００１７】
更に、耐腐食性金属から構成されるため、錆びにくく長期間使用できる利点を有する。
【図面の簡単な説明】
【００１８】
【図１】本発明による作業区画表示ポールの概略的構成を示す断面図である。
【図２】本発明による作業区画表示ポールの設置の様子を示す断面図である。
【図３】本発明による作業区画表示ポールの撤去の様子を示す断面図である。
【発明を実施するための形態】
【００１９】
図１は本発明による作業区画表示ポールの概略的構成を示す断面図である。図２は本発明による作業区画表示ポールの設置の様子を示す断面図である。図３は本発明による作業区画表示ポールの撤去の様子を示す断面図である。
【００２０】
図１を参照して、本発明のよる作業区画表示ポールについて具体的に説明する。
【００２１】
本発明による作業区画表示ポール１は管状ポール２と、２つのストッパー４、５を備える杭３から構成される。管状ポール２にはフック６が設けられている。杭３には第１ストッパー４と第２ストッパー５が離間して設けられており、第１ストッパー４は管状ポール２の外部に、第２ストッパー５は管状ポール２の内部に配置されている。
【００２２】
管状ポール２の長さは１２０ｃｍで外径が３５ｍｍである。ポール内部は空洞で、側壁の肉厚が２ｍｍであり、内径が３１ｍｍの寸法となっている。底面には孔径が１１ｍｍ程度の孔７が設けられている。管状ポール２の上面から２０ｃｍ程度の箇所にフック６が設けられている。フック６は作業区画を表示するロープやネットを掛けるために設けられている。
【００２３】
杭３の長さは５００ｍｍ、径は１０ｍｍである。第１ストッパー４及び第２ストッパー５の外径は３０ｍｍ、高さ１０ｍｍ程度に設計されている。第２ストッパー５は、杭３の頭部に結合し、第１ストッパー４は杭３の中間部に結合している。第１ストッパー４と第２ストッパー５は約２５０ｍｍ離間しており、第１ストッパー４から杭３尖端部までは約２５０ｍｍとなっている。
【００２４】
管状ポール２の内径は第１ストッパー４の径よりやや大きく、第１ストッパー４が管状ポール内を軸方向に自由に移動できるようになっている。また、管状ポール１の底面に設けられた孔は杭３の径よりもやや大きく、第１ストッパー４と第２ストッパー５間での杭３の自由な移動を妨げないようにしてある。
【００２５】
第１ストッパー４及び第２ストッパー５は管状ポール２底面に設けられた孔７よりも大きい。このため、杭３が管状ポール２から脱落することや、ポール内部に格納されることがない。
【００２６】
管状ポール２の内径、及び、底面の孔７が大き過ぎる場合、ポールを設置した際にポールが傾く等、不安定になる。このため、管状ポール２と第２ストッパー５、及び、管状ポール２底面の孔７と杭３との隙間を狭く設定する。
【００２７】
管状ポール２、杭３、第１ストッパー４、及び、第２ストッパー５の材質は特に限定されるものではないが、地面に打ち込むものであり、相応の強度を要するため、金属を用いるとよい。また、屋外で使用するものであるため、ステンレス等、耐腐食性の金属がより好ましい。
【００２８】
次に、作製方法について説明する。孔を設けた円柱形状の板を杭３に通し、杭の中間部に溶接し、第１のストッパー４とする。次に、杭３の頭部から有孔円盤を杭に通す。更に、孔を設けた円柱形状の板を杭３に通し、この円柱形状の板を杭３の頭部に溶接し、第２のストッパー５とする。次に、杭３の頭部から管状ポール２に挿入し、有孔円盤と管状ポール２を溶接することにより、作業区画表示ポール１を作製することができる。
【００２９】
図２を参照して、本発明による作業区画表示ポール１の設置方法について具体的に説明する。
【００３０】
杭２の尖端部を地面に略垂直に刺し込み、管状ポール２を上方に引き上げる。引き上げた管状ポール２を地面方向に打ち降ろすことにより、管状ポール２の底面が第１ストッパー４に衝撃を与え、杭２が地中に埋め込まれていく。第１ストッパー４が地面に接するまで、上記動作を繰り返すことにより設置が完了する。
【００３１】
多量の作業区画表示ポール１を設置しても、第１ストッパー４の働きにより、一定深度までしか杭が埋め込まれないため、設置した全ての作業区画表示ポール１の高さは一定である。このため、均一の高さでネットやロープ等を張ることが可能である。
【００３２】
次に、図３を参照して、作業区画表示ポール１の撤去方法について具体的に説明する。
【００３３】
設置されている作業区画表示ポールの管状ポール２を上方へ引き上げる。管状ポール２の底面が第２ストッパー５に引っ掛かり、ストッパー５を上方へ引き上げる。ストッパー５と結合する杭２が地面から引き抜かれ、撤去が完了する。
【符号の説明】
【００３４】
１  作業区画表示ポール
２  管状ポール
３  杭
４  第１ストッパー
５  第２ストッパー
６  フック
７  孔
【図１】
2010159537.tif 000003
【図２】
2010159537.tif 000004
【図３】
2010159537.tif 000005